(57)【要約】【課題】より多くのコンテンツをユーザに提供することができる表示システムを提供する。【解決手段】コンテンツを含んだ付加情報データＡを記憶する記憶部５２、を備えたサーバ５１と、対象物の画像データを生成する撮像部２４と、画像データを表示する表示部２５と、を備えた携帯端末２１と、を備えて、携帯端末２１がサーバ５１から対象物に関連する付加情報データＡを含んだ付加情報ファイルＦを取得し、付加情報データＡのコンテンツを表示部２５に表示させる表示システム１は、付加情報データＡが他のコンテンツへ遷移するための遷移情報を含んでいる。【選択図】図１
2016066146.tif 000002
【特許請求の範囲】
【請求項１】
コンテンツを含んだ付加情報を記憶する記憶部、を備えたサーバと、
対象物の画像データを生成する撮像部と、画像データを表示する表示部と、を備えた端末と、を備えて、前記端末が前記サーバから対象物に関連する付加情報を取得し、付加情報のコンテンツを前記表示部に表示させる表示システムであって、
前記付加情報は、他のコンテンツへ遷移するための遷移情報を含んでいることを特徴とする表示システム。
【請求項２】
前記付加情報は、一の対象物に対して複数対応づけられて前記記憶部に記憶され、この複数の付加情報のうち少なくとも一以上の付加情報が他のコンテンツへ遷移するための遷移情報を含んでいることを特徴とする請求項１に記載の表示システム。
【請求項３】
前記遷移情報は、
他のコンテンツを新たに表示部に表示させる追加遷移と、
表示されているコンテンツを非表示にして他のコンテンツを表示させる更新遷移と、
表示されているコンテンツから外部ウェブサーバのウェブページに遷移させる外部遷移と、を含んでいることを特徴とする請求項１又は２に記載の表示システム。
【請求項４】
前記サーバは、
実時間データを取得する実時間データ取得部と、
前記実時間データ取得部によって取得した実時間データに基づきリアルタイムコンテンツを生成するリアルタイムコンテンツ生成部と、を更に備え、
前記端末の前記表示部に表示されるコンテンツには、前記リアルタイムコンテンツ生成部で生成されたリアルタイムコンテンツも含まれていることを特徴とする請求項１乃至３のいずれか１項に記載の表示システム。
【請求項５】
前記端末は、
前記対象物の画像データを基にして、前記対象物に関連する付加情報を前記サーバに要求する付加情報要求部と、
前記記憶部は、一の対象物に対して一以上の付加情報が対応づけられて記載された付加情報ファイルと、
対象物を予め撮影して画像データとし、前記付加情報ファイルと関連づけられた物の画像データと、が記憶され、
前記サーバは、前記記憶部の中から前記対象物の画像データに適合する物の画像データを探し、この物の画像データに関連づけられた付加情報ファイルを取得して前記端末に送信する付加情報ファイル取得部を更に備えたことを特徴とする請求項１乃至４のいずれか一項に記載の表示システム。
【請求項６】
前記サーバの前記記憶部は、物の位置データが物の画像データに関連づけて格納され、
前記端末は、
前記対象物の位置データを取得する位置情報取得部を更に備え、
前記付加情報要求部は、前記対象物の位置データも前記サーバに送信し、
前記サーバの前記付加情報ファイル取得部は、前記対象物の画像データと前記対象物の位置データを基に前記記憶部から物の画像データを検索することを特徴とする請求項１乃至５のいずれか１項に記載の表示システム。
【請求項７】
前記付加情報ファイルは、地域毎にファイルが作成され、
前記付加情報ファイル取得部は、前記対象物の画像データ又は前記対象物の画像データと前記対象物の位置データを基に記憶部から物の画像データを検索して取得し、前記付加情報ファイルを取得した物の画像データと位置データを基にして取得することを特徴とする請求項６に記載の表示システム。
【請求項８】
前記付加情報ファイルは、時間帯毎にファイルが作成され、
前記サーバは、時刻を提供する時計部を更に備え、
前記付加情報ファイル取得部は、前記対象物の画像データを基に記憶部から物の画像データを検索して取得し、前記付加情報ファイルを取得した物の画像データと時刻を基にして取得することを特徴とする請求項１乃至５のいずれか１項に記載の表示システム。
【請求項９】
コンテンツを含んだ付加情報であって他のコンテンツへの遷移情報を含んだ付加情報を記憶部に記憶するステップと、
対象物の画像データを生成するステップと、
前記対象物の画像データを基に前記対象物に関連する付加情報を取得するステップと、
付加情報のコンテンツを表示部に表示するステップと、を備えたことを特徴とする表示方法。
【請求項１０】
請求項９に記載の表示方法に含まれるステップをコンピュータに実行させることを特徴とするコンピュータプログラム。
【請求項１１】
請求項１０に記載のコンピュータプログラムを記憶したことを特徴とするコンピュータが読み取り可能な記憶媒体。
【発明の詳細な説明】
【技術分野】
【０００１】
本発明は、現実環境にコンテンツを重ねて表示する表示システム、表示方法、この表示方法に含まれるステップをコンピュータに実行させるコンピュータプログラム、このコンピュータプログラムを記憶したコンピュータが読み取り可能な記憶媒体に関する。
【背景技術】
【０００２】
近年、人が知覚する現実環境をコンピュータによって拡張する拡張現実（Augmented Reality、AR）の技術が開発されている。この拡張現実の技術は、現実環境にコンテンツといった情報を付加、強調等させ、人が見た現実社会を文字どおり拡張させる技術である。
【０００３】
この拡張現実の技術は、携帯端末の機能向上によって、携帯端末上で具現化できるようになってきており、例えば、ＡＲアプリケーション（以下、ＡＲアプリと称する）として携帯端末にインストールすることで具現化できる。
【０００４】
このＡＲアプリは、携帯端末のカメラで被写体を撮像するとともに、携帯端末のＧＰＳ（Global Positioning System：全地球測位システム）で位置情報を取得し、この位置情報から被写体を特定する。例えば、特許文献１には、コンテンツと位置情報を関連して登録する技術が提案されている。
【０００５】
そして、ＡＲアプリは、この被写体に関連する文字列、画像、音声、動画、ＣＧ（computer graphics）等のコンテンツをサーバから取得し、この携帯端末の表示画面に被写体とともにこのコンテンツを重ねて表示している。
【０００６】
以上によって、ユーザは、被写体についてコンテンツを通じて拡張した情報を、携帯端末の表示画面を通して取得することができる。
【先行技術文献】
【特許文献】
【０００７】
【特許文献１】特開２０１０−０２６５４６号公報
【発明の概要】
【発明が解決しようとする課題】
【０００８】
しかしながら、現状の拡張現実の技術を携帯端末上で具現化させようとすると、拡張現実の技術は、携帯端末の表示画面に被写体とコンテンツを重ねて表示する構成上、表示できるコンテンツの量が携帯端末の表示画面の大きさに依存し、制作者が意図したコンテンツの全てを表示できないおそれがあった。
【０００９】
そこで、本発明は、より多くのコンテンツをユーザに提供することができる表示システムを提供することを目的とする。
【課題を解決するための手段】
【００１０】
本発明の表示システムは、コンテンツを含んだ付加情報を記憶する記憶部、を備えたサーバと、対象物の画像データを生成する撮像部と、画像データを表示する表示部と、を備えた端末と、を備えて、前記端末が前記サーバから対象物に関連する付加情報を取得し、付加情報のコンテンツを前記表示部に表示させる表示システムであって、前記付加情報は、他のコンテンツへ遷移するための遷移情報を含んでいることを特徴としている。
【００１１】
前記付加情報は、一の対象物に対して複数対応づけられて前記記憶部に記憶され、この複数の付加情報のうち少なくとも一以上の付加情報が他のコンテンツへ遷移するための遷移情報を含んでいることを特徴としている。
【００１２】
前記遷移情報は、他のコンテンツを新たに表示部に表示させる追加遷移と、表示されているコンテンツを非表示にして他のコンテンツを表示させる更新遷移と、表示されているコンテンツから外部ウェブサーバのウェブページに遷移させる外部遷移と、を含んでいることを特徴としている。
【００１３】
前記サーバは、実時間データを取得する実時間データ取得部と、前記実時間データ取得部によって取得した実時間データに基づきリアルタイムコンテンツを生成するリアルタイムコンテンツ生成部と、を更に備え、前記端末の前記表示部に表示されるコンテンツには、前記リアルタイムコンテンツ生成部で生成されたリアルタイムコンテンツも含まれていることを特徴としている。
【００１４】
前記端末は、前記対象物の画像データを基にして、前記対象物に関連する付加情報を前記サーバに要求する付加情報要求部と、前記記憶部は、一の対象物に対して一以上の付加情報が対応づけられて記載された付加情報ファイルと、対象物を予め撮影して画像データとし、前記付加情報ファイルと関連づけられた物の画像データと、が記憶され、前記サーバは、前記記憶部の中から前記対象物の画像データに適合する物の画像データを探し、この物の画像データに関連づけられた付加情報ファイルを取得して前記端末に送信する付加情報ファイル取得部を更に備えたことを特徴としている。
【００１５】
前記サーバの前記記憶部は、物の位置データが物の画像データに関連づけて格納され、前記端末は、前記対象物の位置データを取得する位置情報取得部を更に備え、前記付加情報要求部は、前記対象物の位置データも前記サーバに送信し、前記サーバの前記付加情報ファイル取得部は、前記対象物の画像データと前記対象物の位置データを基に前記記憶部から物の画像データを検索することを特徴としている。
【００１６】
前記付加情報ファイルは、地域毎にファイルが作成され、前記付加情報ファイル取得部は、前記対象物の画像データ又は前記対象物の画像データと前記対象物の位置データを基に記憶部から物の画像データを検索して取得し、前記付加情報ファイルを取得した物の画像データと位置データを基にして取得することを特徴としている。
【００１７】
前記付加情報ファイルは、時間帯毎にファイルが作成され、前記サーバは、時刻を提供する時計部を更に備え、前記付加情報ファイル取得部は、前記対象物の画像データを基に記憶部から物の画像データを検索して取得し、前記付加情報ファイルを取得した物の画像データと時刻を基にして取得することを特徴としている。
【００１８】
本発明の表示方法は、コンテンツを含んだ付加情報であって他のコンテンツへの遷移情報を含んだ付加情報を記憶部に記憶するステップと、対象物の画像データを生成するステップと、前記対象物の画像データを基に前記対象物に関連する付加情報を取得するステップと、付加情報のコンテンツを表示部に表示するステップと、を備えたことを特徴としている。
【００１９】
本発明のコンピュータプログラムは、前記記載の表示方法に含まれるステップをコンピュータに実行させることを特徴としている。
【００２０】
コンピュータが読み取り可能な記憶媒体は、前記記載のコンピュータプログラムを記憶したことを特徴としている。
【発明の効果】
【００２１】
本発明の表示システムによれば、より多くのコンテンツをユーザに提供することができる。
【図面の簡単な説明】
【００２２】
【図１】表示システムの概略構成図である。
【図２】付加情報ファイルを示した模式図である。
【図３】（Ａ）は、物の画像テーブルを示し、（Ｂ）は、付加情報ファイルテーブルを示す図である。
【図４】位置情報取得部の処理を示すフローチャート図である。
【図５】付加情報要求部の処理を示すフローチャート図である。
【図６】付加情報ファイル取得部の処理を示すフローチャート図である。
【図７】表示処理部の処理を示すフローチャート図である。
【図８】入力処理部の処理を示すフローチャート図である。
【図９】駅の案内表示板を、携帯端末の表示部に表示させる様子を示した図である。
【図１０】タッチパネルに表示された駅の案内表示板に対して、関連するコンテンツを重ねて表示させた様子を示す図である。
【図１１】一のコンテンツが選択されて、そのコンテンツに関する他のコンテンツ群へ全部遷移が行われた様子を示す携帯端末の一部拡大図である。
【図１２】一のコンテンツが選択されて、そのコンテンツに関する他のコンテンツ群へ更新遷移が行われた様子を示す携帯端末の一部拡大図である。
【図１３】一のコンテンツが選択されて、そのコンテンツに関する他のコンテンツへ追加遷移が行われた様子を示す携帯端末の一部拡大図である。
【図１４】一のコンテンツが選択されて、ウェブページへ外部遷移した様子を示す携帯端末の全体図である。
【図１５】携帯端末とサーバとのデータのやり取りを示した概略図である。
【図１６】ページを開いた書籍を携帯端末のタッチパネルに表示させる様子を示した図である。
【図１７】タッチパネルに表示された書籍に対して、関連するコンテンツを重ねて表示させた様子を示す図である。
【図１８】「塔」の画像コンテンツがタップされて「塔」の動画コンテンツが再生され終了した様子を示す図である。
【図１９】一のコンテンツが選択されて、そのコンテンツに関する他のコンテンツ群が表示された様子を示す図である。
【発明を実施するための形態】
【００２３】
以下、本発明を実施するための形態の例（以下、実施例と称する）を、図１を参照しながら説明する。図１は、表示システム１の概略構成図である。図１に示すとおり、表示システム１は、サーバ５１と、このサーバ５１とデータ通信を行う携帯端末２１と、を備えている。
【００２４】
（携帯端末）
先ず、携帯端末２１（端末）について説明する。携帯端末２１は、例えば、タッチパネル式のタブレットである。ここで、携帯端末２１は、タッチパネル式のタブレットに限定されず、例えば、ユーザが身につけるスマートウォッチ、スマートグラス、スマートバンド、スマートコンタクトレンズ、スマートかつらといったウエアラブル端末でも良いし、更に、カメラ機能付きのノート型パソコン、デスクトップ型パソコン、デジタル・サイネージといった端末機器でも良い。
【００２５】
カメラ機能を有していない機器については、ｗｅｂカメラといった外付けカメラを後から取り付けることで本発明の端末とすることができる。また、携帯端末２１、端末は、最初からカメラ機能を有した機器に限定されず、ｗｅｂカメラといった外付けカメラを後から取り付けられる機器も含む。
【００２６】
この携帯端末２１は、記憶機能として作動する記憶部２２と、制御機能として作動する制御部２３と、カメラ機能として作動する撮像部２４と、表示機能として作動する表示部２５と入力機能として作動する入力部２６を有したタッチパネル２７と、ＧＰＳ機能として作動するＧＰＳ部２８と、時計機能として機能する時計部３０と、通信機能として作動する無線通信部３１と、を少なくとも備えている。以下、各機能部を詳細に説明する。
【００２７】
記憶部２２は、ＲＡＭ（Random Access Memory）、ＲＯＭ（Read Only Memory）、フラッシュメモリ、ＨＤＤ（Hard Disk Drive）等が組み合わされて構成される。この記憶部２２は、携帯端末２１の基本的な機能を提供するＯＳ（Operating System）を含む各種プログラムが保存されている。
【００２８】
記憶部２２は、位置データと状態データが保存される。位置データは、ＧＰＳ部２８が取得した携帯端末２１の位置を示すデータのことであり、ＧＰＳ部２８がこの位置データを取得すると時計部３０で取得したその際の時刻とともに保存される。
【００２９】
状態データは、認識モードと追跡モードの二つのモードのことをいう。認識モードは
コンテンツを表示させる対象物を認識するモードのことをいう。また、追跡モードは、コンテンツを表示させる対象物を追跡するモードのことをいう。
【００３０】
撮像部２４は、いわゆるカメラであり、レンズで結んだ像から被写体の画像データを生成する。撮像部２４によって生成された被写体の画像データは、必要に応じて記憶部２２に保存される。
【００３１】
本発明の表示システム１は、記憶部２２の状態データが認識モードの際、コンテンツを表示させる対象物を、撮像部２４で生成した画像データを用いることによって認識している。状態データが認識モードに変更された後、撮像部２４によって対象物の画像データが生成できなくなる、すなわち、対象物がフレームアウトすると制御部２３が状態データを認識モードに変更させる。
【００３２】
タッチパネル２７は、液晶パネルを有した表示部２５と、タッチパッドを有した入力部２６と、を備えている。本実施例の携帯端末２１は、タッチパネル２７を用いて表示部２５と入力部２６の機能を具現化している。なお、表示部２５と入力部２６は、タッチパネル２７に限定されない。例えば、表示部２５と入力部２６が液晶とタッチキーに分かれた構成でも良い。
【００３３】
タッチパネル２７のうち表示部２５には、撮像部２４で生成した画像データや、コンテンツが対象物とともに表示される。タッチパネル２７のうち入力部２６には、この携帯端末２１のユーザから操作情報が入力される。
【００３４】
ここで、操作情報とは、例えば、表示部の何処の位置でタップ、ダブルタップ、ロングタップ、フリック（上、下、左、右フリック）、スワイプ、ピンチ（ピンチイン、ピンチアウト）、マルチタップ等がされたかの情報のことをいう。
【００３５】
無線通信部３１（通信部）は、ネットワーク通信によって携帯端末２１とサーバ５１との間でデータ通信を可能とする。ネットワーク通信は、例えば、３Ｇ（3rd Generation）、ＬＴＥ（Long Term Evolution）、４Ｇ（4th Generation）、ＷｉＦｉ（登録商標）、Bluetooth（登録商標）といった無線通信規格に準拠した通信である。
【００３６】
ここで、無線通信部３１は、画像データを送受信できる程度の伝送速度を機能として有していればよく、例示したものに限定されない。無線通信部３１に代えて、有線によってサーバ５１とデータ通信を行う有線通信部、無線通信部３１と有線通信部を両方備えた構成としても良い。また、表示システム１の機能を携帯端末２１で具現化した場合は、無線通信部３１は、省略される。
【００３７】
ＧＰＳ部２８は、全地球測位システム（Global Positioning System）を用いて携帯端末２１の位置情報を取得する。具体的には、ＧＰＳ部２８は、ＧＰＳ受信機を備えており、ＧＰＳ衛星から送信されるＧＰＳ信号を受信し、このＧＰＳ信号を基に携帯端末２１の現在位置データを算出して取得する。このＧＰＳ部２８は、携帯端末２１の現在位置データを取得すると、時計部３０から時刻を取得してその時刻とともに記憶部２２に保存する。
【００３８】
時計部３０は、時刻を提供する。ここで、携帯端末２１は、無線通信部３１によってサーバ５１とネットワーク通信が可能であり、時計部３０の時刻がサーバ５１の時刻に定期的に同期されるようになっている。
【００３９】
制御部２３は、ＣＰＵ（Central Processing Unit）を備え、上述した記憶部２２、撮像部２４、タッチパネル２７、ＧＰＳ部２８、時計部３０、無線通信部３１を制御する。また、制御部２３は、この他にも、位置情報取得部３５、付加情報要求部３６、表示処理部３７、入力処理部３８を実行する。
【００４０】
これら位置情報取得部３５、付加情報要求部３６、表示処理部３７、入力処理部３８は、例えば、表示システム１のクライアント側のアプリケーションとして、携帯端末２１の記憶部２２にＡＲアプリとしてインストールされる。
【００４１】
位置情報取得部３５は、ＧＰＳ部２８で現在位置データを算出して、その現在位置データを携帯端末２１の位置データ又はコンテンツを表示させる対象物の位置データとして用いる。
【００４２】
ここで、ＧＰＳ部２８は、携帯端末２１が建物内やトンネル内に位置すると、ＧＰＳ衛星からのＧＰＳ信号が遮られ、ＧＰＳ信号を受信することができない。すなわち、位置情報取得部３５は、位置データを取得しようとしても位置データを取得できない場合がある。
【００４３】
この場合、位置情報取得部３５は、記憶部２２に所定時間内に保存された位置データの存在を確認し、所定時間内に保存された位置データが存在すれば、その位置データを、携帯端末２１の位置データ又はコンテンツを表示させる対象物の位置データとして使用する。ここで、所定時間とは、初期設定値として例えば、５分が設定されている。なお、この所定時間は、管理者が任意の数値を設定できる。
【００４４】
これに対し、ＧＰＳ衛星からのＧＰＳ信号が受信できず、また、記憶部２２に所定時間内に保存された位置データも存在しない場合、位置情報取得部３５は、位置データを取得せずに処理を終了する。
【００４５】
以上のように、位置情報取得部３５は、携帯端末２１の位置データを取得できない場合があり、その場合、位置データを用いずに、その後の処理を行うようになっている。よって、携帯端末２１の構成において、位置情報取得部３５は必須の構成でなくその構成を省略しても良い。また、同様に位置情報取得部３５で用いるＧＰＳ部２８と時計部３０も携帯端末２１の構成から省略した構成としても良い。
【００４６】
付加情報要求部３６は、記憶部２２の状態データが認識モードの際に、付加情報要求データＤをサーバへ送信し、コンテンツを表示させる対象物に関連づけられた付加情報ファイルＦを携帯端末２１に送信するように要求する。
【００４７】
ここで、付加情報要求データＤとは、コンテンツを表示させる対象物の画像データ及び位置データ、又は、コンテンツを表示させる対象物の画像データを含んだデータのことをいう。この付加情報要求データＤは、コンテンツを表示させる対象物を認識するためにも用いられる。
【００４８】
付加情報要求部３６は、前述した位置情報取得部３５が位置データを取得できた場合、この位置データと、撮像部２４で生成したコンテンツを表示させる対象物の画像データと、を基に付加情報要求データＤを生成し、サーバ５１に送信する。
【００４９】
これに対し、位置情報取得部３５が位置データを取得できない場合、付加情報要求部３６は、撮像部２４で生成したコンテンツを表示させる対象物の画像データを基に付加情報要求データＤを生成し、サーバ５１に送信する。
【００５０】
付加情報要求部３６が付加情報要求データＤをサーバ５１に送信すると、サーバ５１は、付加情報ファイルＦを携帯端末２１に送信する。以下、図２を参照しながら、付加情報ファイルＦについて説明する。図２は、付加情報ファイルＦを示した模式図である。
【００５１】
付加情報ファイルＦ（付加情報データセット）は、対象物について表示させるコンテンツ毎に、そのコンテンツのサーバ５１での格納位置や、その表示や、その動作や、その実行等の情報を記載したファイルである。ここで、あるコンテンツについて、そのコンテンツの格納情報と、表示情報と、動作情報と、実行情報と、を持つデータを付加情報データＡ（付加情報）と称する。
【００５２】
付加情報ファイルＦは、この付加情報データＡが一、又は複数繰り返して記載されたファイルである。また、付加情報ファイルＦは、必要に応じて付加情報データＡの他、地域データと、時間帯データと、を有する。
【００５３】
時間帯データとは、１日の中で、ある時刻からある時刻までの間を示すデータのことをいう。本発明の表示システム１は、付加情報ファイルＦがこの時間帯データを有することによって時間帯によって表示させるコンテンツを変化させることができる。
【００５４】
例えば、朝を午前４時から午前１１時まで、昼を午前１１時から午後１８時まで、夕方を午後１８時〜午後２０時まで、夜を午後２０時から午後２４時まで、深夜を午前０時から４時までのような設定をすることができ、これら朝、昼、夕方、夜、深夜によってコンテンツを変化させることができる。
【００５５】
地域データとは、地形が似通っていたり、同じ気候だったり等の所定の理由からひとまとめにされる土地のことをいう。本発明の表示システム１は、付加情報ファイルＦがこの地域データを有することによって地域によって表示させるコンテンツを変化させることができる。
【００５６】
例えば、この地域データは、日本を北海道・東北・関東・中部・近畿・中国・四国・九州の８つの地域に分けたり、都道府県で分けたり、市町村で分けたりでき、これらによってコンテンツを変化させることができる。
【００５７】
一の物の画像データに対して、一つの付加情報ファイルＦが関連づけられる場合、地域データや時間帯データは、設定されていない。これに対し、一の物の画像に対して、時間帯データと地域データが設定されている場合、付加情報ファイルＦは、時間帯や地域毎に複数作成されて対応づける。
【００５８】
以下、付加情報データＡを構成するコンテンツの格納位置、コンテンツの表示情報、コンテンツの動作情報、コンテンツの実行情報について詳しく説明する。
【００５９】
コンテンツの格納位置とは、文字列、画像、音声、動画、ＣＧ等といったコンテンツデータのサーバ５１での格納位置のことをいう。ここで、本発明の表示システム１におけるコンテンツデータには、リアルタイムコンテンツも含まれて、これもサーバ５１の記憶部５２に格納されている。
【００６０】
リアルタイムコンテンツとは、サーバ５１又は外部サーバから取得した実時間データに基づいて生成された文字列データ、画像データ、音声データ、動画データ、ＣＧデータ等のことをいう。また、実時間データとは、例えば、空席情報、気象データ、為替情報、株価情報、運行情報、ニュースデータ等の実時間のデータのことをいう。
【００６１】
コンテンツの表示情報とは、対象物を基準としたコンテンツの大きさ、角度、表示位置、透過情報のことをいう。
【００６２】
また、コンテンツの動作情報とは、コンテンツが動画やＣＧ等である場合に、自動で再生されるか否か、再生が終了すると繰り返して再生させるか否か等の情報のことをいう。
【００６３】
また、コンテンツの実行情報とは、表示部２５に表示されたコンテンツが例えば、タップやダブルタップ等された際に実行される動作のことをいう。この動作には、コンテンツが文字列、画像における拡大、縮小、遷移、また、コンテンツが音声、動画、ＣＧにおける再生、停止、遷移があり、タップやダブルタップ等に関連づけられて設定される。
【００６４】
この付加情報ファイルＦは、これを構成する付加情報データＡのうち、少なくとも一つ以上の付加情報データＡの実行情報に遷移が設定されている。動作のうち遷移について説明する。遷移は、追加遷移、更新遷移、全部遷移、外部遷移、遷移終了がある。以下、順に説明する。
【００６５】
追加遷移は、例えば、コンテンツがタップされると、そのコンテンツはそのままで別のコンテンツを新たに表示させる。この追加遷移は、遷移情報として新しく表示させるコンテンツの付加情報データＡのサーバ５１での格納位置を有する。
【００６６】
更新遷移は、コンテンツがタップされるとそのコンテンツ又は特定のコンテンツを表示部２５から非表示として別のコンテンツを表示部２５に新たに表示させる。この更新遷移は、遷移情報として非表示とするコンテンツと新しく表示させるコンテンツの付加情報データＡのサーバ５１での格納位置を有する。
【００６７】
全部遷移は、コンテンツがタップされると表示部２５に表示されている全てのコンテンツを表示部２５から非表示にするとともに、指定された別の付加情報ファイルＦをサーバ５１からダウンロードして、その新しくダウンロードした付加情報ファイルＦに基づきコンテンツを表示部２５に表示させる。この全部遷移は、遷移情報として新しい付加情報ファイルＦのサーバ５１での格納位置を有する。
【００６８】
ここで、新たなコンテンツの表示とは、ＡＰＩ（Application Programming Interface）を用いて外部のアプリケーションの一部を用いることも含む。ここでＡＰＩは、例えば、Twitter API、Facebook API、YouTube（登録商標） API、のことをいう。
【００６９】
外部遷移は、コンテンツがタップされると表示システム１の携帯端末２１側のＡＲアプリを終了させるとともに、ウェブブラウザを起動し指定された外部のＵＲＬ（Uniform Resource Locator）のウェブページを表示する。この外部遷移は、遷移情報として外部のＵＲＬ情報を有する。
【００７０】
遷移終了は、コンテンツがタップされると表示部２５から特定のコンテンツを非表示とし、一のコンテンツから他のコンテンツへの遷移を終了させる。この遷移終了は、遷移情報として非表示とするコンテンツの情報を有する。
【００７１】
表示処理部３７は、撮像部２４で生成した画像を表示部２５に表示する。また、表示処理部３７は、サーバ５１から付加情報ファイルＦを受信すると、その付加情報ファイルＦに記載された付加情報データＡを記憶部２２の一時記憶領域上に保持し、サーバ５１からコンテンツをダウンロードするとともに、そのコンテンツを付加情報データＡに記載された表示情報に基づいて表示部２５に表示させる。
【００７２】
また、表示処理部３７は、入力処理部３８によって記憶部２２の一時記憶領域上に保持された付加情報ファイルＦの内容が更新されると、更新された付加情報データＡに関するコンテンツをサーバ５１からダウンロードするとともに、そのコンテンツを更新された付加情報データＡに記載された表示情報に基づいて表示部２５に表示させる。
【００７３】
入力処理部３８は、携帯端末２１でＡＲアプリが実行された際に、入力部２６からの操作情報を処理する。例えば、入力処理部３８は、入力部２６においてコンテンツがタップ、ダブルタップ、長押し、等されると、記憶部２２の一時記憶領域上に保持した付加情報ファイルＦに記載された内容に基づきこれらに対応づけられた動作を実行する。
【００７４】
以下、入力処理部３８を詳細に説明する。入力処理部３８は、起動されると入力部２６からの操作情報取得待ち状態となる。そして、入力部２６から操作情報が入力されると、入力処理部３８は、状態が追跡モード、且つ、操作情報が表示されたコンテンツに関する場合、一時記憶領域上に保持された付加情報ファイルＦを参照し、操作情報に関連づけられている動作が遷移であるか否かを判定する。
【００７５】
操作情報に関連づけられている動作が遷移以外の場合、例えば、動作が拡大であったとする。その場合は、コンテンツを拡大させて再び入力部２６からの操作情報待ちとなる。
【００７６】
以下、操作情報に関連づけられている動作が遷移に関する場合を説明する。操作情報に関連づけられている動作が遷移のうち追加遷移、更新遷移、遷移終了の場合は、そのように記憶部２２の一時記憶領域上の付加情報ファイルＦの内容を更新し、再び入力部２６からの操作情報待ちとなる。
【００７７】
操作情報に関連づけられている動作が遷移のうち、全部遷移の場合は、指定された付加情報ファイルＦをダウンロードするとともに、記憶部２２の一時記憶領域上に保持された付加情報ファイルＦのデータを消去する。
【００７８】
操作情報に関連づけられている動作が遷移のうち、外部遷移の場合は、ウェブアプリを起動させるとともに指定されたＵＲＬのページを表示させ、そして、ＡＲアプリを終了させる。
【００７９】
（サーバ）
次に、サーバ５１について説明する。サーバ５１は、記憶機能として作動する記憶部５２と、制御機能として作動する制御部５３と、時計機能として作動する時計部６０と、通信機能として作動する無線通信部６１と、を備えている。
【００８０】
サーバ５１の記憶部５２は、サーバ５１の基本的な機能を提供するサーバ用ＯＳを含む各種プログラムが保存されている。また、サーバ５１の記憶部５２には、現実社会に存在する駅の案内表示板、出版されている書籍のそれぞれのページ、そして建造物等の画像データが物の画像データとして予め無数に保存され、また、コンテンツデータとして文字列データ、画像データ、音声データ、動画データ、ＣＧデータも保存されている。
【００８１】
また、サーバ５１の記憶部５２には、先に説明した付加情報ファイルＦが物の画像データに関連づけて保存されている。この付加情報ファイルＦは、位置データと時間帯データを有さない場合、物の画像データと一意に関連づけられ、位置データや時間帯データを有する場合、物の画像データに対して複数関連付けられている。
【００８２】
そして、この付加情報ファイルＦは、これを構成する付加情報のうち、少なくとも一つ以上の付加情報データＡにおける実行情報に遷移が設定されている。これによって、一の付加情報データＡが他の付加情報データＡに結びつけられてサーバ５１の記憶部５２の内部で仮想のネットワークを構成している。
【００８３】
また、サーバ５１の記憶部５２は、データベース６２を備えている。このデータベース６２は、物の画像テーブル６２Ａと付加情報ファイルテーブル６２Ｂの二つのテーブルを有している。
【００８４】
図３を参照しながらこの二つのテーブルについて説明する。図３（Ａ）は、物の画像テーブル６２Ａを示し、図３（Ｂ）は、付加情報ファイルテーブル６２Ｂを示す図である。図３（Ａ）に示すとおり、物の画像テーブル６２Ａは、物の画像データの格納位置データと、物の位置データと、の二つの属性を有している。
【００８５】
ここで、物の画像データとは、駅の案内表示板、飲食店のメニューなどの予め撮影された画像データのことをいう。また、物の画像データには、その物の全体を予め撮影した画像データの他、その物の一部を撮影した画像データも含む。この一部を撮影した画像データは、複数枚で全体をカバーする。これらの物の画像データは、記憶部５２に予め保存されており、その格納位置データが物の画像テーブル６２Ａに格納されている。
【００８６】
また、物の位置データとは、その物の現実社会における実際の設置場所を経度と緯度と高度で示した位置データである。この物の位置データは、物の画像データにおける格納位置データと関連づけられて物の画像テーブル６２Ａに格納されている。
【００８７】
図３（Ｂ）に示すとおり、付加情報ファイルテーブル６２Ｂは、物の画像データの格納位置データと、その物の付加情報ファイルＦの格納位置データと、の二つの属性を有している。物の画像データの格納位置データは、その物の付加情報ファイルＦの格納位置データと関連づけられて付加情報ファイルテーブル６２Ｂに格納されている。
【００８８】
サーバ５１の時計部６０は、時刻を管理する。サーバ５１と携帯端末２１は、無線通信部６１によってネットワーク通信が可能であり、携帯端末２１の時計部３０がサーバ５１の時計部６０に定期的に同期されるようになっている。
【００８９】
サーバ５１の制御部５３は、ＣＰＵを備えて、上述した記憶部５２、時計部６０、無線通信部６１を制御する。また、サーバ５１の制御部５３は、この他にも付加情報ファイル取得部６６、実時間データ取得部６７、リアルタイムコンテンツ生成部６８を実行する。
【００９０】
この付加情報ファイル取得部６６は、携帯端末２１の付加情報要求部３６から送信された付加情報要求データＤを無線通信部６１によって受信し、この付加情報要求データＤを基にコンテンツを表示させる対象物を認識し、これに関連づけられた付加情報ファイルＦを検索して取得する。
【００９１】
以下、付加情報ファイル取得部６６によって、対象物を認識する手順を、付加情報要求データＤに位置データが含まれている場合と、含まれていない場合と、で説明する。
【００９２】
付加情報要求データＤに位置データが含まれる場合、先ず、付加情報ファイル取得部６６は、物の画像テーブル６２Ａを参照してこの位置データに近い物の画像データを抽出する。ここで、この位置データに近い物の画像データとは、この位置データが示す位置から半径３００ｍ以内に存在する物の画像データのことをいう。
【００９３】
次に、付加情報ファイル取得部６６は、ＳＩＦＴやＳＵＲＦといった局所特微量を用いた類似画像検索によって、これらの抽出された物の画像データのうちから、コンテンツを表示させる対象物の画像データにマッチ（適合）する物の画像データを取得する。
【００９４】
付加情報要求データＤに位置データが含まれていない場合、付加情報ファイル取得部６６は、物の画像テーブル６２Ａに含まれる全ての物の画像データの中から、類似画像検索によってコンテンツを表示させる対象物の画像データにマッチ（適合）する物の画像データを取得する。
【００９５】
なお、付加情報ファイル取得部６６は、コンテンツを表示させる対象物の画像データにマッチする物の画像データを取得することができなかった場合、いずれの場合も処理を終了し、付加情報ファイルＦを携帯端末２１に送信しない。
【００９６】
次に、付加情報ファイル取得部６６によって、先の処理で取得した物の画像データを基に、この物の画像データに関連づけられた付加情報ファイルＦを取得する手順を説明する。
【００９７】
付加情報ファイル取得部６６は、付加情報ファイルテーブル６２Ｂを参照して、先の処理で取得した物の画像データの格納アドレスに一致する付加情報ファイルＦを検索する。その結果、ヒットした件数が１件の場合は、その付加情報ファイルＦを無線通信部６１によって携帯端末２１へ送信する。
【００９８】
付加情報ファイルＦが複数件ヒットし、それらが時間帯データを有している場合を説明する。その場合は、時計部６０で時刻を取得し、その時刻に該当する時間帯データが設定されている一の付加情報ファイルＦを選択し、その付加情報ファイルＦを無線通信部６１によって携帯端末２１へ送信する。
【００９９】
付加情報ファイルＦが複数件ヒットし、それらが地域データを有している場合を説明する。その場合は、付加情報要求データＤの位置データを用い、その位置に該当する地域データが設定されている一の付加情報ファイルＦを選択し、その付加情報ファイルＦを無線通信部６１によって携帯端末２１へ送信する。
【０１００】
付加情報ファイルＦが複数件ヒットし、それらが時間帯データと地域データを有している場合を説明する。その場合は、時計部６０で時刻を取得した時刻と付加情報要求データＤの位置データを用い、その時刻と位置に該当する付加情報ファイルＦを選択し、その付加情報ファイルＦを無線通信部６１によって携帯端末２１へ送信する。
【０１０１】
実時間データ取得部６７は、外部サーバから実時間データを定期的に取得する。例えば、実時間データ取得部６７は、映画館の空席情報を管理する外部サーバから５秒毎に映画館の空席情報を自ら取得したり、気象庁のサーバから１０秒毎に実時間の気象情報を自ら取得したり、緊急地震速報を受信したりする。この要領で他の実時間データを管理する外部サーバから為替情報、株価情報、運行情報等を取得する。実時間データの取得には、自らサーバにデータを取りに行くような能動的に取得する場合と、サーバから自動的に通知されるような受動的に取得する場合も含むものとする。
【０１０２】
なお、実時間データ取得部６７は、外部サーバから実時間データを取得する構成で説明したがこれに限定されない。すなわち、実時間データ取得部６７は、サーバ５１内で管理された実時間データを取得する構成も含む。
【０１０３】
リアルタイムコンテンツ生成部６８は、実時間データ取得部６７が実時間データを取得すると直ちに又は定期的にその実時間データに基づいてリアルタイムコンテンツを生成し、サーバ５１の記憶部５２に他のコンテンツと同様に保存する。例えば、リアルタイムコンテンツ生成部６８は、実時間データ取得部６７が映画館の空席情報の実時間データを取得すれば、これに基づき、映画館の空席状況を示すリアルタイムコンテンツを生成し、実時間データ取得部６７が気象庁から実時間の気象情報を取得すれば、これに基づき、気象状況を示すリアルタイムコンテンツを生成する。
【０１０４】
（フローの説明）
続いて、以上に説明した位置情報取得部３５、付加情報要求部３６、付加情報ファイル取得部６６、表示処理部３７、入力処理部３８のフローを説明する。
【０１０５】
図４を参照しながら、位置情報取得部３５のフローを説明する。図４は、位置情報取得部３５の処理を示すフローチャート図である。ステップＳ２１において、位置情報取得部３５は、ＧＰＳ信号が受信できるか否かを判断し、ＧＰＳ信号が受信できる場合ステップＳ２２へ進み、ＧＰＳ信号から現在位置データを算出して取得してステップＳ２３へ進み、ステップＳ２３において、この位置データを時計部３０で取得した時刻とともに記憶部５２に保存して、処理を終了する。
【０１０６】
ステップＳ２１において、位置情報取得部３５は、ＧＰＳ信号が受信できないとステップＳ２４へ進む。そして、ステップＳ２４において、位置情報取得部３５は、保存された時間が所定時間以内の位置データが記憶部５２上に保存されているか否かを判断し、保存されている場合ステップＳ２５へ進み、そして、ステップＳ２５において、その記憶部５２上に保存された過去の位置データを取得して処理を終了する。
【０１０７】
また、ステップＳ２４において、位置情報取得部３５は、保存された時間が所定時間以内の位置データが記憶部５２上にない場合、位置データ無しとして処理を終了する。
【０１０８】
図５を参照しながら、付加情報要求部３６のフローを説明する。図５は、付加情報要求部３６の処理を示すフローチャート図である。付加情報要求部３６は、先ず、ステップＳ３１において記憶部２２の状態データが認識モードであるか否かを判定し、認識モードである場合ステップＳ３２へ進み、認識モードでない場合ステップＳ３１へ戻る。
【０１０９】
ステップＳ３２において付加情報要求部３６は、位置情報取得部３５によって位置データを取得し、ステップＳ３３において撮像部２４で生成したコンテンツを表示させる対象物の画像データを取得し、ステップＳ３４へ進む。
【０１１０】
そして、ステップＳ３４において、付加情報要求部３６は、この位置データとコンテンツを表示させる対象物から付加情報要求データＤを生成し、ステップＳ３５において、この付加情報要求データＤを無線通信部３１によってサーバ５１へ送信し、ステップＳ３１へ再び戻る。
【０１１１】
その後、ステップＳ３１において、付加情報要求部３６は、状態データが認識モードの場合、この一連の処理を繰り返す。これに対し、付加情報要求部３６は、状態データが認識モードでない場合、状態データが認識モードになるまでの状態変更待ちとなる。
【０１１２】
図６を参照しながら、付加情報ファイル取得部６６のフローを説明する。図６は、付加情報ファイル取得部６６の処理を示すフローチャート図である。ステップＳ４１において、付加情報ファイル取得部６６は、付加情報要求データＤの受信の有無を判断する。
【０１１３】
付加情報ファイル取得部６６は、付加情報要求データＤを受信するとステップＳ４２へ進む。また、この付加情報ファイル取得部６６は、受信データが携帯端末２１から届かないと届くまでステップＳ４１を繰り返す付加情報要求データＤの受信待ちとなる。
【０１１４】
ステップＳ４２において、付加情報ファイル取得部６６は、位置データが付加情報要求データＤに含まれているか否かを判断し、含まれているとステップＳ４３へ進む。そして、ステップＳ４３において、付加情報ファイル取得部６６は、物の画像テーブル６２Ａを参照し、物の画像テーブル６２Ａの画像データのうち、コンテンツを表示させる対象物の位置データに近い物の画像データを抽出し、ステップＳ４４へ進む。
【０１１５】
これに対し、ステップＳ４２において、位置データが含まれていない場合、付加情報ファイル取得部６６はこの物の画像データの抽出作業を行わずにステップＳ４４へ進む。
【０１１６】
ステップＳ４４において、付加情報ファイル取得部６６は、類似画像検索によって、抽出した物の画像データ又は全ての物の画像データの中から、コンテンツを表示させる対象物の画像データにマッチする物の画像データを検索し、ステップＳ４５へ進む。
【０１１７】
ステップＳ４５において、付加情報ファイル取得部６６は、コンテンツを表示させる対象物の画像データにマッチする物の画像データの有無を判断し、ある場合、ステップＳ４６へ進む。なお、ステップＳ４５において、物の画像データのうちからコンテンツを表示させる対象物の画像データにマッチする物の画像データが見つからなかった場合、付加情報ファイル取得部６６はステップＳ４１へ戻り、再び、付加情報要求データＤが届くまでステップＳ４１を繰り返す付加情報要求データＤの受信待ちとなる。
【０１１８】
そして、ステップＳ４６において、付加情報ファイル取得部６６は、付加情報ファイルテーブル６２Ｂを参照し、マッチした物の画像データに関連づけられた付加情報ファイルＦを検索しステップＳ４７へ進む。
【０１１９】
そして、ステップＳ４７において、付加情報ファイル取得部６６は、検索した結果、ヒットした付加情報ファイルＦが１件か否かを判定し、検索結果が１件の場合、ステップＳ４９へ進む。
【０１２０】
ステップＳ４７において、検索結果が複数件ヒットした場合、ステップＳ４８へ進み、時計部６０で時刻を取得し、また、付加情報要求データＤに位置データが含まれている場合、これも用いて、時刻と位置データに基づいて一の付加情報ファイルＦを選択しステップＳ４９へ進む。
【０１２１】
そして、ステップＳ４９において、付加情報ファイル取得部６６は、この付加情報ファイルＦを無線通信部６１によって携帯端末２１へ送信し、ステップＳ４１へ戻り、再び、付加情報要求データＤが届くまでステップＳ４１を繰り返す受信待ちとなる。
【０１２２】
図７を参照しながら、表示処理部３７のフローを説明する。図７は、表示処理部３７の処理を示すフローチャート図である。ステップＳ５１において、表示処理部３７は、撮像部２４で生成した画像データを表示部２５に表示し、ステップＳ５２へ進む。
【０１２３】
ステップＳ５２において、表示処理部３７は、サーバ５１からの付加情報ファイルＦの受信の有無を判断し、付加情報ファイルＦを受信すると、ステップＳ５３へ進み、受信した付加情報ファイルＦを、記憶部２２の一時記憶領域上に保持し、ステップＳ５５へ進む。
【０１２４】
これに対し、ステップＳ５２において、表示処理部３７は、サーバ５１からの付加情報ファイルＦの受信がない場合、ステップＳ５４へ進み、記憶部２２の一時記憶領域上に保持された付加情報ファイルＦの内容が更新されていないかどうかを判定し、更新されている場合、ステップＳ５５へ進む。
【０１２５】
付加情報ファイルＦが更新されていない場合は、ステップＳ５１に戻り、付加情報ファイルＦが届くか付加情報ファイルＦが更新されるまで、撮像部２４で撮影した画像データを表示する処理を繰り返す。
【０１２６】
そして、ステップＳ５５において、表示処理部３７は、その付加情報ファイルＦに基づき、サーバ５１からコンテンツをダウンロードするとともに、そのコンテンツを付加情報ファイルＦに記載された付加情報データＡの表示情報に基づいて対象物とともに表示部２５に表示させ、ステップＳ５６へ進む。
【０１２７】
ステップＳ５６において、表示処理部３７は、記憶部２２の状態データを追跡モードに変更し、ステップＳ５１へ再び戻る。
【０１２８】
図８を参照しながら、入力処理部３８のフローを説明する。図８は、入力処理部３８の処理を示すフローチャート図である。
【０１２９】
ステップＳ８０１において、入力処理部３８は、入力部２６からの操作情報の有無を判定し、入力部２６からの操作情報があるとステップＳ８０２へ進む。入力部２６からの操作情報がない場合は、再びＳ８０１へ戻り、入力部２６からの操作情報が届くまでステップＳ８０１を繰り返す操作情報待ちとなる。
【０１３０】
ステップＳ８０２において、入力処理部３８は、状態データが追跡モードであるか否かを判定し、状態データが追跡モードの場合、ステップＳ８０３へ進む。状態データが追跡モードでない場合は、再びＳ８０１へ戻り、入力部２６からの操作情報が届くまでステップＳ８０１を繰り返す操作情報待ちとなる。
【０１３１】
ステップＳ８０３において、入力処理部３８は、入力部２６からの操作情報が表示しているコンテンツに関する操作情報か否かを判定し、コンテンツに関する操作情報の場合、ステップＳ８０４へ進む。
【０１３２】
ステップＳ８０３において、入力部２６からの操作情報が表示しているコンテンツとは関係しない操作情報である場合は、再びＳ８０１へ戻り、入力部２６からの操作情報が届くまでステップＳ８０１を繰り返す入力待ちとなる。
【０１３３】
ステップＳ８０４において、入力処理部３８は、操作情報に関連づけられている動作が遷移であるか否かを判定し、動作が遷移に関する場合、ステップＳ８０５へ進む。これに対し、操作情報に関連づけられている動作が遷移ではない場合、ステップＳ８０６へ進み、ステップＳ８０６において入力処理部３８は、記憶部２２の一時記憶領域上に保持された付加情報ファイルＦに基づき、この操作情報に関連づけられている動作を行って、ステップＳ８０１へ戻る。
【０１３４】
ステップＳ８０５において、入力処理部３８は、動作が遷移のうち「追加遷移」、「更新遷移」、「遷移終了」に該当するか否かを判定し、これらに該当する場合、ステップＳ８０７へ進み、これらに基づいて記憶部２２の一時記憶領域上に保持された付加情報ファイルＦを更新してステップＳ８０１へ戻る。
【０１３５】
ステップＳ８０５において、入力処理部３８は、動作が遷移のうち「追加遷移」、「更新遷移」、「遷移終了」に該当しない場合、ステップＳ８０８へ進む。
【０１３６】
ステップＳ８０８において、入力処理部３８は、動作が「全部遷移」に該当するか否かを判定し、動作が「全部遷移」に該当する場合、ステップＳ８０９へ進み、付加情報ファイルＦの付加情報データＡに記載された格納位置に基づいてサーバ５１から新たな付加情報ファイルＦをダウンロードし、ステップＳ８１０へ進む。
【０１３７】
そして、ステップＳ８１０において、入力処理部３８は、記憶部２２上に保持された古い付加情報ファイルＦを消去して、ステップＳ８０１へ戻る。
【０１３８】
ステップＳ８０８において、入力処理部３８は、動作が「全部遷移」に該当しない場合、ステップＳ８１１へ進み、動作が「外部遷移」に該当するか否かを判定し、動作が「外部遷移」に該当する場合、ウェブブラウザを起動するとともに付加情報ファイルＦに記載のＵＲＬをそのウェブブラウザで開き、ステップＳ８１３へ進んでＡＲアプリを終了させる。
【０１３９】
（表示システム１を駅の案内表示板８１に使用した例）
図９〜図１５を参照しながら、本発明の表示システム１を用いて、駅の案内表示板８１に関連するコンテンツ群を表示させる様子を説明する。ここで、図１５は、携帯端末２１とサーバ５１とのデータのやり取りを示した概略図を示している。
【０１４０】
ユーザは、携帯端末２１のタッチパネル２７を操作し、ＡＲアプリを起動させる。そして、ＡＲアプリが起動されると、これに伴って、位置情報取得部３５、付加情報要求部３６、表示処理部３７、入力処理部３８がそれぞれ並列して動作する。
【０１４１】
図９を参照しながら、対象物である駅の案内表示板８１を、本発明の表示システム１で認識する様子を説明する。図９は、駅の案内表示板８１を、携帯端末２１のタッチパネル２７に表示させる様子を示した図である。
【０１４２】
ユーザは、携帯端末２１の撮像部２４で駅の案内表示板８１の画像を生成できるように、携帯端末２１の撮像部２４の向きを調整する。そうすると、表示処理部３７は、図７に示したフローに基づき撮像部２４によって生成された駅の案内表示板８１の画像データをタッチパネル２７に表示し続ける。
【０１４３】
このとき、位置情報取得部３５は、図４に示したフローに基づいて位置データを取得し続ける。また、付加情報要求部３６は、図５に示したフローに基づいて位置データと画像データを基に付加情報要求データＤを生成し無線通信部３１を介してサーバ５１に送信し続ける。
【０１４４】
このとき、サーバ５１では、付加情報ファイル取得部６６が付加情報要求データＤの受信待ちとなっており、携帯端末２１から付加情報要求データＤを受信すると、図７に示したフローに基づいて記憶部３２に保存された付加情報ファイルＦの取得を試みる。
【０１４５】
ここで、携帯端末２１から送信された付加情報要求データＤには、駅の案内表示板８１の位置データが含まれている。したがって、付加情報ファイル取得部６６は、物の画像テーブル６２Ａを参照して物の画像データのうち、この位置データに近い物の画像データを、物の画像テーブル６２Ａの中から抽出する。
【０１４６】
そして、付加情報ファイル取得部６６は、類似画像検索によって、抽出した物の画像データの中から、駅の案内表示板８１の画像データにマッチする物の画像データを検索する。そして、付加情報ファイル取得部６６は、付加情報ファイルテーブル６２Ｂを参照し、マッチした物の画像データに関連づけられた付加情報ファイルＦを検索する。
【０１４７】
なお、付加情報ファイル取得部６６は、マッチする物の画像データが見つからなかった場合、この要求に対する処理を終了し、次に送られてくる駅の案内表示板８１の画像データにマッチする物の画像を検索する。
【０１４８】
ここでは、この駅の案内表示板８１に関連づけられた付加情報ファイルＦは、時間帯毎に異なるものが用意されており、複数件ヒットしたとする。この場合、付加情報ファイル取得部６６は、時間帯毎に用意された付加情報ファイルＦのうちから、時計部６０で取得した時刻の時間帯に該当する一の付加情報ファイルＦを選択する。
【０１４９】
付加情報ファイルＦは、前述した図２に示すようなデータ構造となっている。そして、この駅の案内表示板８１に関連づけられた付加情報ファイルＦは、時間帯データが設定され、地域データが設定されておらず、付加情報データＡを四つ有している。
【０１５０】
具体的には、付加情報ファイルＦは、この駅の案内表示板８１の近くの店舗である「○×映画館」、「□△ボーリング」、「○×百貨店」、「○□楽器」の四つの店舗に関する付加情報データＡを有している。この付加情報データＡには、コンテンツの格納位置、表示情報、動作情報、実行情報が記載されている。
【０１５１】
付加情報データＡの記載について「○×映画館」を例に挙げて説明する。「○×映画館」の付加情報データＡは、コンテンツの格納位置に「○×映画館」の画像コンテンツ８２のサーバ５１での格納位置、すなわち、アドレスが記載されている。
【０１５２】
またｌ、付加情報データＡのうち、コンテンツの表示情報にこのコンテンツを駅の案内表示板８１の右上に表示させることが記載され、コンテンツの実行情報に、このコンテンツがタップされた際に全部遷移を行うことと、全部遷移を行うために必要な他の付加情報ファイルＦのサーバ５１での格納位置が記載されている。なお、このコンテンツは、動作情報について何も設定されていない。また、「□△ボーリング」、「○×百貨店」、「○□楽器」の付加情報データＡも同様に記載されている。
【０１５３】
携帯端末２１に付加情報ファイルＦが送信されると、表示処理部３７は、図７に示したフローに基づいて、受信した付加情報ファイルＦに記載された四つの付加情報データＡを記憶部２２の一時記憶領域上に保持する。
【０１５４】
そして、表示処理部３７は、記憶部２２の一時記憶領域上に保持した付加情報ファイルＦの内容に基づき、サーバ５１からそれぞれのコンテンツをダウンロードするとともに、これらのコンテンツを付加情報ファイルＦの付加情報データＡの表示情報に基づいて駅の案内表示板８１とともに表示部２５に表示させる。
【０１５５】
図１０を参照しながら、駅の案内表示板８１の周りにコンテンツが表示される様子を説明する。図１０は、本発明の表示システム１によって、携帯端末２１のタッチパネル２７に表示された駅の案内表示板８１に対して、関連するコンテンツを重ねて表示させた様子を示す図である。
【０１５６】
図１０に示すとおり、携帯端末２１の表示処理部３７が付加情報ファイルＦの内容に基づきそれぞれのコンテンツをダウンロードして表示されると、駅の案内表示板８１を中心として、右上に「○×映画館」の画像コンテンツ８２が、右下に「□△ボーリング」の画像コンテンツ８３が、左上に「○×百貨店」の画像コンテンツ８４が、左下に「○□楽器」の画像コンテンツ８５が表示される。以上のコンテンツは、全て画像データである。
【０１５７】
これによって、ユーザは、携帯端末２１によって駅の案内表示板８１をかざすだけで、この駅の近くにある店舗情報を、表示部２５を介して得ることができる。ここで、ユーザは、駅の近くにある店舗情報のうち「○×映画館」に興味を持ち、図１０で示すとおり、「○×映画館」の画像コンテンツ８２をタップしたとする。
【０１５８】
「○×映画館」の画像コンテンツ８２は、前述したとおり、付加情報ファイルＦの「○×映画館」を示す付加情報データＡのコンテンツ実行情報に、タップされた際の動作が記載されており、タップされると全部遷移を行うように設定されている。
【０１５９】
よって、「○×映画館」の画像コンテンツ８２がタップされると、入力処理部３８が図８に示したフローに基づいて、サーバ５１から全部遷移に必要な付加情報ファイルＦをサーバ５１からダウンロードするとともに、記憶部２２上に保持された古い付加情報ファイルＦを消去する。
【０１６０】
そして、サーバ５１から付加情報ファイルＦがダウンロードされると、表示処理部３７は、図７に示したフローに基づいて、この新しい付加情報ファイルＦを記憶部２２の一時記憶領域上に保持し、この新しい付加情報ファイルＦに基づいて、それぞれのコンテンツをタッチパネル２７に表示させる。そうすると、タッチパネル２７上には、図１１で示すように表示される。
【０１６１】
図１１を参照しながら、「○×映画館」が選択されて、店舗情報を示すコンテンツ群から「○×映画館」の情報を示すコンテンツ群へ全部遷移した様子を説明する。図１１は、一のコンテンツが選択されて、そのコンテンツに関する他のコンテンツ群へ全部遷移が行われた様子を示す携帯端末２１の一部拡大図である。
【０１６２】
図１１に示すとおり、携帯端末２１の表示処理部３７が新しい付加情報ファイルＦの内容に基づいて、それぞれのコンテンツをダウンロードして表示すると、駅の案内表示板８１を中心として、右上から右下に向かって、「○×映画館」に関するコンテンツを表示していることを示す「○×映画館」の画像コンテンツ８６、「○×映画館」での映画を鑑賞するための料金を示す「料金」の文字列コンテンツ８７、そして、駅の案内表示板８１が設定されている駅から「○×映画館」までの地図を示す「地図」の画像コンテンツ８８が表示される。
【０１６３】
また、左上から左下に向かって、「拡張現実物語」の画像コンテンツ８９、「ＡＲ大冒険」の画像コンテンツ９０、「エーアールの女」の画像コンテンツ９１といった「○×映画館」で現在、上映中の映画のタイトルが表示される。
【０１６４】
これによって、ユーザは、興味を示した「○×映画館」の画像コンテンツ８２（図１０参照）をタップするだけで、この「○×映画館」に関連したコンテンツ情報群を、表示部２５を介して得ることができる。すなわち、本発明の表示システム１は、対象物に重ねて表示されるコンテンツが階層構造をもっており、効率的にコンテンツ情報を提供することができる。
【０１６５】
ユーザは、「拡張現実物語」という映画に興味を持ち、「拡張現実物語」の画像コンテンツ８９をタップしたとする。
【０１６６】
ここで、付加情報ファイルＦの「拡張現実物語」を示す付加情報データＡのコンテンツ実行情報には、タップされると更新遷移を行うように設定されている。具体的には、「○×映画館」の画像コンテンツ８６を非表示として、同じ部分に「拡張現実物語」の画像コンテンツ９２を表示させる。
【０１６７】
また、「拡張現実物語」の画像コンテンツ８９、「ＡＲ大冒険」の画像コンテンツ９０、「エーアールの女」の画像コンテンツ９１を非表示として、駅の案内表示板８１の左側に「上映時間」の画像コンテンツと、各上映時間に対応づけられた「予約」の画像コンテンツ９４、９５、９６を「上映時間」のコンテンツ９３と駅の案内表示板８１の間に表示させるように設定されている。
【０１６８】
よって、「拡張現実物語」の画像コンテンツ８９がタップされると、入力処理部３８が図８に示したフローに基づいて、記憶部２２の一時記憶領域上に保持された付加情報ファイルＦを構成する「○×映画館」、「拡張現実物語」、「ＡＲ大冒険」、「エーアールの女」を表す付加情報データＡを消去し、「拡張現実物語」、「上映時間」、「予約」、「予約」、「予約」を表す付加情報データＡを追加して記憶部２２の一時記憶領域上に保持された付加情報ファイルＦの内容を更新する。
【０１６９】
そして、付加情報ファイルＦが更新されると、表示処理部３７は、図７に示したフローに基づいて、更新された付加情報ファイルＦに基づいて、コンテンツをタッチパネル２７に表示させる。そうすると、タッチパネル２７上には、図１２で示すように表示される。
【０１７０】
図１２を参照しながら、「拡張現実物語」が選択されて、「○×映画館」を示すコンテンツ群から「拡張現実物語」の情報を示すコンテンツ群へ更新遷移した様子を説明する。図１２は、一のコンテンツが選択されて、そのコンテンツに関する他のコンテンツ群へ更新遷移が行われた様子を示す携帯端末２１の一部拡大図である。
【０１７１】
図１２に示すとおり、携帯端末２１の表示処理部３７が更新された付加情報ファイルＦの内容に基づいて、それぞれのコンテンツを表示すると、駅の案内表示板８１を中心として、右側の部分は、「○×映画館」の画像コンテンツ８６（図１１参照）が「拡張現実物語」の映画に関するコンテンツを表示していることを示す「拡張現実物語」の画像コンテンツ９２に更新される。
【０１７２】
また、左側に「拡張現実物語」の上映時間を示す「上映時間」の画像コンテンツ９３が表示され、「上映時間」のコンテンツ９３と駅の案内表示板８１の間に、各上映時間に対応づけられた「予約」の画像コンテンツ９４、９５、９６が表示される。
【０１７３】
これによって、ユーザは、店舗情報群のうちから「○×映画館」を選択して、「○×映画館」に関連するコンテンツ群を得ることができ、さらに、この「○×映画館」に関連するコンテンツ群のうちから「拡張現実物語」の画像コンテンツ８９をタップするだけで、この「拡張現実物語」に関するコンテンツ群を、表示部２５を介して得ることができる。
【０１７４】
次に、ユーザは、「拡張現実物語」という映画を視聴することを決め、１２時２０分からの回について予約購入することを決め、「予約」の画像コンテンツ９４をタップしたとする。
【０１７５】
ここで、付加情報ファイルＦの「予約」を示す付加情報データＡのコンテンツ実行情報には、タップされると追加遷移を行うように設定されている。具体的には、上映時間に対応づけられた「空席情報」のリアルタイムコンテンツ９７を表示させるように設定されている。
【０１７６】
この「空席情報」のリアルタイムコンテンツ９７は、実時間データ取得部６７が映画館の空席情報の実時間データを外部サーバから取得し、リアルタイムコンテンツ生成部６８がこの取得した空席情報の実時間データに基づいて生成したコンテンツである。
【０１７７】
そして、「予約」のコンテンツ９４がタップされると、入力処理部３８が図８に示したフローに基づいて、記憶部２２の一時記憶領域上に保持された付加情報ファイルＦを構成する付加情報データＡに「空席情報」を表す付加情報データＡを追加して付加情報ファイルＦの内容を更新する。
【０１７８】
そして、付加情報ファイルＦの内容が更新されると、表示処理部３７は、図７に示したフローに基づいて、更新された付加情報ファイルＦの内容に基づいて、コンテンツをタッチパネル２７に表示させる。そうすると、タッチパネル２７上には、図１３で示すように表示される。
【０１７９】
図１３を参照しながら、「予約」の画像コンテンツ９４が選択されて、「空席状況」のリアルタイムコンテンツ９７を新たに追加して表示した様子を説明する。図１３は、一のコンテンツが選択されて、そのコンテンツに関する他のコンテンツへ追加遷移が行われた様子を示す携帯端末２１の一部拡大図である。
【０１８０】
図１３に示すとおり、携帯端末２１の表示処理部３７が更新された付加情報ファイルＦの内容に基づいて、それぞれのコンテンツを表示すると、新たに「空席状況」のリアルタイムコンテンツ９７が表示される。「空席状況」のリアルタイムコンテンツ９７中の四角は、座席を示している。そして、座席のうち斜線部分は既に予約された席を示し、この予約されたか否かが、実時間データ取得部６７が取得した実時間データに基づいている。また、太線で囲まれた席はＳ席を示している。
【０１８１】
これによって、ユーザは、希望する回の「予約」の画像コンテンツ９４をタップするだけで、希望する回の実時間データに基づいた空席情報を得ることができる。続いて、ユーザは、「拡張現実物語」という映画の希望する回の決済を行うことを決め、席のうち斜線が引かれていない空席をタップしたとする。
【０１８２】
ここで、付加情報ファイルＦの「空席情報」を示す付加情報データＡのコンテンツ実行情報には、タップされると外部遷移を行うように設定されている。具体的には、実行情報に記載されたＵＲＬと選択された席を引数にしてウェブサーバを起動するとともに、ＡＲアプリを終了させるように設定されている。
【０１８３】
これによって、ユーザは、希望する席をタップすると、図１４で示す外部サーバの決済画面に遷移して、決済を行うことができる。図１４は、一のコンテンツが選択されて、ウェブページへ外部遷移した様子を示す携帯端末２１の全体図である。ユーザは、図１４に示すＩＤとパスワードを入力して外部サーバの決済画面に進み、映画の代金を支払うことができる。
【０１８４】
（表示システム１を書籍１００の開いたページに使用した例）
図１５〜図１８を参照しながら、本発明の表示システム１を用いて、書籍１００の開いたページに、関連するコンテンツ群を表示させる様子を説明する。図１６は、ページを開いた書籍を携帯端末２１のタッチパネル２７に表示させる様子を示した図である。
【０１８５】
ユーザは、ＡＲアプリを起動し、撮像部２４で駅の書籍１００の画像を生成できるように、携帯端末２１の撮像部２４の向きを調整する。そうすると、表示処理部３７によって、図１６で示すとおり、タッチパネル２７上に書籍１００が表示される。
【０１８６】
このとき、ＡＲアプリは、位置情報取得部３５が位置データを取得し続け、付加情報要求部３６が位置データと撮像部２４で生成した画像データを基に付加情報要求データＤを生成し、無線通信部３１を介してサーバ５１に送信し続けている。
【０１８７】
サーバ５１では、付加情報要求データＤを受信すると、付加情報ファイル取得部６６がこの付加情報要求データＤに含まれているページを開いた書籍の画像データを基に、このページを開いた書籍の画像データに適合する物の画像データを検索する。
【０１８８】
そして、付加情報ファイル取得部６６は、見つかった物の画像データを基に、この物の画像データに関連づけられた付加情報ファイルＦを検索する。この例では、ページを開いた書籍の画像データに対して地域毎に複数の付加情報ファイルＦが関連づけられており、検索すると付加情報ファイルＦが複数件ヒットする。
【０１８９】
この場合、付加情報ファイル取得部６６は、付加情報要求データＤに含まれる位置データを参照し、この位置データに含まれる地域データが設定されている付加情報ファイルＦを選択する。
【０１９０】
なお、一の物の画像に対して、地域データが設定され、複数の付加情報ファイルＦを有する場合、これらのなかに位置データが取得できなかった際に選択される付加情報ファイルＦが必ず含まれているものとする。
【０１９１】
付加情報ファイルＦは、前述した図２に示すようなデータ構造となっている。そして、このページを開いた書籍１００に関連づけられた付加情報ファイルＦは、時間帯データが設定されず、地域データが設定され、付加情報データＡを三つ有している。
【０１９２】
この三つの付加情報データＡは、「塔」の画像コンテンツ１０１、「門」の画像コンテンツ１０２、「倉庫」の画像コンテンツ１０３に関する。この付加情報データＡには、コンテンツの格納位置、表示情報、動作情報、実行情報が記載されている。
【０１９３】
「塔」の付加情報データＡは、コンテンツが、書籍１００に掲載されている塔の写真と同じ画像データである。コンテンツの表示情報には、この塔の画像データを書籍１００に掲載されている写真の上に同じ様に重ねて表示させることが記載されている。
【０１９４】
「塔」の付加情報データＡの実行情報には、この「塔」の画像コンテンツ１０１がタップされると、「塔」の画像コンテンツ１０１が非表示とされ、代わりにこの「塔」の動画コンテンツが表示される更新遷移が設定されている。
【０１９５】
なお、「塔」の動画コンテンツ１０４は、付加情報データＡのうち表示情報がページを開いた書籍１００のうち左側のページに表示されるように設定され、動作情報が自動で一回再生されるように設定され、実行情報がタップされるとこのコンテンツが非表示となる終了遷移が設定されている。
【０１９６】
また、「門」の付加情報データＡも、「塔」の付加情報データＡとほぼ同じように設定されており、タップされると、「門」に動画コンテンツが表示されるようになっている。以上に説明した「塔」と「門」は、「塔」や「門」の画像データを書籍１００に掲載されている写真の上に同じ様に重ねて表示させる構成で説明したがこれに限定されない。例えば、写真と同じ大きさの透明なシートを写真の上に表示させるようにしてもよい。
【０１９７】
そして、「関連情報」の付加情報データＡは、コンテンツが書籍１００の内容に関連する「関連情報」の画像コンテンツ１０３であり、例えば、「塔」、「門」と同じ時代に建てられた倉庫に関する。
【０１９８】
この付加情報データＡは、表示情報に書籍１００の右側に表示することが設定されて、実行情報にこの「関連情報」の画像コンテンツ１０３がタップされるとこれに関連するコンテンツ群を表示させる追加遷移が設定されている。
【０１９９】
付加情報ファイル取得部６６によって、この付加情報ファイルＦが携帯端末２１に送信されると、表示処理部３７は、受信した付加情報ファイルＦに基づいてコンテンツ群を表示部２５に表示させる。
【０２００】
図１７を参照しながら、書籍に対して、関連するコンテンツを表示させた様子を説明する。図１７は、タッチパネルに表示された書籍１００に対して、関連するコンテンツを重ねて表示させた様子を示す図である。
【０２０１】
図１７に示すとおり、携帯端末２１の表示処理部３７が付加情報ファイルＦの内容に基づいて、それぞれのコンテンツを表示すると、書籍１００の左側のページの塔の写真に「塔」の画像コンテンツ１０１が重ねられ、書籍の右側のページの門の写真に「門」の画像コンテンツ１０２が重ねられ、書籍１００の右側に「関連情報」の画像コンテンツ１０３が表示される。
【０２０２】
ユーザは、ページを開いた書籍１００を携帯端末２１でかざすだけで書籍１００の内容とユーザの位置に関連した関連情報の画像コンテンツ１０３を得ることができる。また、ユーザは、「塔」の画像コンテンツと「門」の画像コンテンツが、書籍１００の画像に重ねて表示されていることによって、この塔と門の画像がページから浮き上がって見え、遷移等があることが理解できる。
【０２０３】
そして、ユーザは、「塔」の画像コンテンツ１０１に興味を持ち、これをタップしたとする。そうすると「塔」の画像コンテンツ１０１が非表示とされ、代わりにこの「塔」の動画コンテンツ１０４が表示される。
【０２０４】
図１８を参照しながら、「塔」の画像コンテンツ１０１が「塔」の動画コンテンツに更新された様子を説明する。図１８は、「塔」の画像コンテンツ１０１がタップされて「塔」の動画コンテンツ１０４が再生され終了した様子を示す図である。
【０２０５】
図１８で示すとおり「塔」の画像コンテンツ１０１がユーザによってタップされると、この塔に関連する「塔」の動画コンテンツ１０４が再生される。これによって、ユーザは、本発明の表示システム１を用いなければ、書籍に掲載された塔の写真、書籍に記載されたこの塔に関する文のみの情報を得られなかったが、この他、動画によっても塔の情報を得ることができる。次に、図１８に示す状態において、ユーザが「関連情報」の画像コンテンツ１０３をタップしたとする。
【０２０６】
図１９を参照しながら、図１８に示す状態において、ユーザが「関連情報」の画像コンテンツ１０３をタップしてこれに関連するコンテンツ群が表示される様子を説明する。図１９は、一のコンテンツが選択されて、そのコンテンツに関する他のコンテンツ群が表示された様子を示す図である。
【０２０７】
図１９に示すとおり、ユーザによって、「関連情報」の画像コンテンツ１０３がタップされると、書籍１００の右側のページ部分に、「説明」の文字列コンテンツ１０５、ここでは、倉庫の説明が表示され、また、書籍１００の左側のページ部分の下にその倉庫の最寄駅を示す「最寄駅」の画像コンテンツ１０６が表示される。
【０２０８】
また、「最寄駅」の画像コンテンツ１０６の右隣りに、その最寄り駅からの倉庫がある場所までの「地図」の画像コンテンツ１０７が表示され、更に、書籍１００の左側に倉庫の近辺のレストラン情報を示す「レストラン」の画像コンテンツ１０８、その下に倉庫の近辺のホテル情報を示す「ホテル」の画像コンテンツ１０９が表示される。
【０２０９】
すなわち、ユーザは、一のコンテンツをタップすることによって、これに関連する情報を有機的に得ることができる。また、表示されたコンテンツは、更にタップされると、次のコンテンツへ遷移するようになっている。すなわち、関連するコンテンツ情報が階層構造をなしていることによって、ユーザに効率的にコンテンツ情報を提供する。
【０２１０】
そして、例えば、「最寄駅」の画像コンテンツ１０６がタップされると、電車の発着情報や遅延情報等を表すコンテンツが表示され、また、「レストラン」の画像コンテンツ１０８がタップされるとレストランのメニューを表すコンテンツが表示され、また、「ホテル」の画像コンテンツ１０９がタップされると、ホテルへのアクセス情報や料金等を示すコンテンツが表示されるようになっており、ユーザの希望するコンテンツを効率的に提供する。
【０２１１】
（本発明の表示システム１の効果）
本発明の表示システム１によれば、一のコンテンツを含んだ付加情報は、他のコンテンツへ遷移するための遷移情報を含んでいる。これによって、限られた表示部２５の表示領域中でより多くのコンテンツをユーザに提供することができる。また、他のコンテンツへの遷移を一のコンテンツと関連づけたものとすることによって、コンテンツをユーザに対して効率的に提供することができる。
【０２１２】
また、本発明の表示システム１によれば、付加情報データＡは、一の対象物に対して複数対応づけられて記憶部５２に記憶され、この複数の付加情報データＡのうち少なくとも一以上の付加情報データＡのうちの実行情報に、他のコンテンツへ遷移するための遷移情報が含まれている。
【０２１３】
これによって、一つの対象物に対して複数のコンテンツを表示させることができるとともに、この複数のコンテンツのうちから他のコンテンツへ遷移することができる。従来の拡張現実技術は、一つのマーカに対して一つのコンテンツを表示させることが多かった。これに対し、本発明の表示システム１によれば、一の対象物に対して複数のコンテンツを同時に表示させることができ、更にそれが階層構造となっているので、ユーザに対してより多くのコンテンツを効率的に提供することができる。
【０２１４】
また、本発明の表示システム１によれば、遷移情報は、他のコンテンツを新たに表示部２５に表示させる追加遷移と、表示されているコンテンツを非表示にして他のコンテンツを表示させる更新遷移と、表示されているコンテンツから外部ウェブサーバのウェブページに遷移させる外部遷移と、を含んでいる。このように色々な遷移情報を持つことでユーザに対してより効率的にコンテンツを提供するように設計することができる。
【０２１５】
また、本発明の表示システム１によれば、サーバ５１は、実時間データを取得する実時間データ取得部６７と、実時間データ取得部６７によって取得した実時間データに基づきリアルタイムコンテンツを生成するリアルタイムコンテンツ生成部６８と、を更に備えている。そして、携帯端末２１の表示部２５に表示されるコンテンツには、リアルタイムコンテンツ生成部６８で生成されたリアルタイムコンテンツも含まれている。これによって、ユーザは、予め作成されたコンテンツのみならず、実時間データに基づいた情報をリアルタイムコンテンツから得ることができる。
【０２１６】
また、本発明の表示システム１によれば、携帯端末２１は、対象物の画像データを基にして、対象物に関連する付加情報をサーバ５１に要求する付加情報要求部３６を備えている。そして、記憶部５２は、一の対象物に対して一以上の付加情報データＡが対応づけられて記載された付加情報ファイルＦと、付加情報ファイルＦと関連づけられた物の画像データと、が記憶されている。
【０２１７】
また、本発明の表示システム１によれば、サーバ５１は、記憶部５２の中から対象物の画像データに適合する物の画像データを探し、この物の画像データに関連づけられた付加情報ファイルＦを取得して携帯端末２１に送信する付加情報ファイル取得部６６を更に備えている。これによって、コンテンツを表示させる対象物にＩＣチップを製造して埋め込んだり、バーコードを付したりして管理する手間が全く必要ない。
【０２１８】
また、本発明の表示システム１によれば、サーバ５１の記憶部５２は、物の位置データが物の画像データに関連づけて格納されている。そして、携帯端末２１は、対象物の位置データを取得する位置情報取得部３５を更に備えている。そして、付加情報要求部３６は、対象物の位置データもサーバ５１に送信し、サーバ５１の付加情報ファイル取得部６６は、対象物の画像データと対象物の位置データを基に記憶部５２から物の画像データを検索するようになっている。これによって、コンテンツを表示させる対象物をより迅速に正確に認識することができる。
【０２１９】
また、本発明の表示システム１によれば、付加情報ファイルＦは、地域毎に作成されている。そして、付加情報ファイル取得部６６は、対象物の画像データ又は対象物の画像データと対象物の位置データを基に記憶部５２から物の画像データを検索して取得し、付加情報ファイルＦを取得した物の画像データと位置データを基にして取得するようになっている。
【０２２０】
これによって、付加情報ファイル取得部６６は、地域に応じた付加情報ファイルＦを取得することができ、これに基づいてコンテンツが表示部２５に表示されると、ユーザは、地域に応じたコンテンツを得ることができ、より効率的にコンテンツを得ることができる。
【０２２１】
また、本発明の表示システム１は、付加情報ファイルＦが時間帯データを有して時間帯毎に作成されている。そして、サーバ５１は、時刻を提供する時計部６０を更に備えている。また、付加情報ファイル取得部６６は、対象物の画像データを基に記憶部５２から物の画像データを検索して取得し、付加情報ファイルＦを取得した物の画像データと時刻を基にして取得する。
【０２２２】
これによって、付加情報ファイル取得部６６は、時刻に応じた付加情報ファイルＦを取得することができ、これに基づいてコンテンツが表示部２５に表示されると、ユーザは、時刻に応じたコンテンツを得ることができ、より効率的にコンテンツを得ることができる。
【０２２３】
なお、本発明は、上述の実施例にのみ限定されない。例えば、付加情報ファイルＦの動作のうち遷移は、追加遷移、更新遷移、全部遷移、外部遷移、遷移終了の他、自動遷移も有しても良い。自動遷移は、例えば、コンテンツが表示されたのちに所定時間が経過すると、そのコンテンツを非表示として、別のコンテンツを新たに表示させる。この自動遷移は、遷移情報として新しく表示させるコンテンツの付加情報データＡのサーバでの格納位置と、表示時間と、を有する。
【０２２４】
また、本発明の表示システム１は、コンテンツを含んだ付加情報であって他のコンテンツへの遷移情報を含んだ付加情報データＡを記憶部５２に記憶するステップと、対象物の画像データを生成するステップと、対象物の画像データを基に対象物に関連する付加情報データＡを取得するステップと、付加情報データＡのうちコンテンツを表示部２５に表示するステップと、を備えた表示方法、及びこの表示方法を含んだ全てのものが含まれる。
【０２２５】
また、本発明は、前記記載の表示方法に含まれるステップをコンピュータに実行させるコンピュータプログラム及びこのプログラムが組み込まれた全ての装置が含まれる。また、本発明は、前記記載のコンピュータプログラムを記憶したコンピュータが読み取り可能な記憶媒体及びこの記憶媒体を含んだ全ての装置が含まれる。また、サーバ５１を有さず携帯端末２１のみ、例えば、スマートフォンやタブレットのみで本発明の表示システムとしても良い。
【０２２６】
本発明の現実環境にコンテンツを重ねて表示する表示システム、表示方法、この表示方法に含まれるステップをコンピュータに実行させるコンピュータプログラム、このコンピュータプログラムを記憶したコンピュータが読み取り可能な記憶媒体は、本発明の要旨を逸脱しない範囲において種々変更できる。
【符号の説明】
【０２２７】
１  表示システム
２１  携帯端末
２２  記憶部
２３  制御部
２４  撮像部
２５  表示部
２６  入力部
２７  タッチパネル
２８  ＧＰＳ部
３０  時計部
３１  無線通信部
３４  設定言語取得部
３５  位置情報取得部
３６  付加情報要求部
３７  表示処理部
３８  入力処理部
５１  サーバ
５２  記憶部
５３  制御部
６０  時計部
６１  無線通信部
６２  データベース
６２Ａ  物の画像テーブル
６２Ｂ  付加情報ファイルテーブル
６６  付加情報ファイル取得部（付加情報取得部）
６７  実時間データ取得部
６８  リアルタイムコンテンツ生成部
８１  駅の案内表示板
８２  「○×映画館」の画像コンテンツ
８３  「□△ボーリング」の画像コンテンツ
８４  「○×百貨店」の画像コンテンツ
８５  「○□楽器」の画像コンテンツ
８６  「○×映画館」の画像コンテンツ
８７  「料金」の文字列コンテンツ
８８  「地図」の画像コンテンツ
８９  「拡張現実物語」の画像コンテンツ
９０  「ＡＲ大冒険」の画像コンテンツ
９１  「エーアールの女」の画像コンテンツ
９２  「拡張現実物語」の画像コンテンツ
９３  「上映時間」の画像コンテンツ
９４  「予約」の画像コンテンツ
９５  「予約」の画像コンテンツ
９６  「予約」の画像コンテンツ
９７  「空席状況」のリアルタイムコンテンツ
１００  書籍
１０１  「塔」の画像コンテンツ
１０２  「門」の画像コンテンツ
１０３  「倉庫」の画像コンテンツ
１０４  「塔」の動画コンテンツ
１０５  「関連情報」の文字列コンテンツ
１０６  「最寄駅」の画像コンテンツ
１０７  「地図」の画像コンテンツ
１０８  「駐車場」の画像コンテンツ
１０９  「ホテル」の画像コンテンツ
１１０  「レストラン」の画像コンテンツ
Ｄ  付加情報要求データ
Ａ  付加情報データ
Ｆ  付加情報ファイル
【図１】
2016066146.tif 000003
【図２】
2016066146.tif 000004
【図３】
2016066146.tif 000005
【図４】
2016066146.tif 000006
【図５】
2016066146.tif 000007
【図６】
2016066146.tif 000008
【図７】
2016066146.tif 000009
【図８】
2016066146.tif 000010
【図９】
2016066146.tif 000011
【図１０】
2016066146.tif 000012
【図１１】
2016066146.tif 000013
【図１２】
2016066146.tif 000014
【図１３】
2016066146.tif 000015
【図１４】
2016066146.tif 000016
【図１５】
2016066146.tif 000017
【図１６】
2016066146.tif 000018
【図１７】
2016066146.tif 000019
【図１８】
2016066146.tif 000020
【図１９】
2016066146.tif 000021